(57)【要約】【課題】  生産効率を高めるとともに長時間作業しても疲労感が蓄積することがない作業用手袋を提供する。【解決手段】  掌材１１の親指穴１１ａの甲側部分１１ｂを切り取り、その切り取り部分１１ｂを親指材１３の甲側に張り出すとともに、その甲側端縁Ｃ１が親指穴１１ａに親指材１３を縫合した状態で、甲材１５の人差指側端縁の手首への延長線Ｃ１`と一致するよう構成している。これにより、甲面の親指材１３における、親指の付け根ｈ部分が無縫製となるので、当該付け根ｈ部分の縫目による手の違和感や痛みがほとんど生じることがない。さらに、親指材１３の甲側端縁Ｃ１と甲材１５の人差指側端縁の手首への延長線Ｃ１`とを縫合すれば、掌材１１の親指穴１１ａの甲側端縁に親指材１３の下端縁を縫合する必要がなく、甲材１５に甲面の親指材１３が縫合されることとなる。【選択図】図３
2009127170.tif 000002
【特許請求の範囲】
【請求項１】
掌材、親指材、甲材をそれぞれ縫合した作業用手袋において、
親指穴の甲側部分を切り取られた掌材と、
上記切り取り部分を甲側に張り出すとともに、その甲側端縁が上記親指穴に親指材を縫合した状態で、上記甲材の人差指側端縁の手首への延長線と一致する親指材と、
を備えることを特徴とする作業用手袋。
【請求項２】
親指と人差指との股の部分を覆う生地に対応する舌を親指穴に形成する切り込みのうち、親指穴の甲側端縁に連続する切り込みの付け根から甲側上方までの上側端縁と、親指穴の下端付近から手首側までの下側端縁との間の部分を切り取られた掌材と、
上記切り取られた部分の上側端縁に対応して、甲面における親指と人差指との付け根上端の形状をＶ字状またはＵ字状とする親指材と、
を備えることを特徴とする請求項１に記載の作業用手袋。
【発明の詳細な説明】
【技術分野】
【０００１】
本発明は、作業用手袋に関するものである。
【背景技術】
【０００２】
従来の作業用手袋は、図９に示すように、掌材９１、甲材９２、親指材９３、中指・薬指材９４、袖部９５がそれぞれ別個に裁断された生地をそれぞれ縫合して製造されている。上記掌材９１の親指に対応する位置には、親指材９３が縫合される親指穴９６が設けられており、加えて、親指と人差指の股に対応して、当該親指穴９６の掌側の弧状端縁に連続した切り込みｘと甲側端縁に連続する切り込みｙとより形成される舌９７が設けられている。上記掌材９１の親指部分に対して、１枚の親指材９３を半折にして、半折された親指材９３の下端縁を、掌材９１の親指の付け根側端縁と、舌９７の側端縁と、甲側端縁とにそれぞれ縫い合わせるようになっている。このように、掌材９１に親指材９３が縫い合わされると、その縫目９８は、丁度、親指の付け根の周縁に表れることとなる（図１０）。
【０００３】
上記縫目９８のある生地部分は、糸で固く縫い付けられていることもあって、剛性が高く、縫代部分に段差が生じる。そのため、上記作業用手袋９を装着して長時間作業すると、剛性が高い縫目９８の箇所が手と擦れて、違和感や痛みを伴うという問題があった。
【０００４】
さらに、上記縫目９８では、固い縫い付けによって、生地部分の伸縮性が失われ、縫目周辺の伸縮が阻害された状態となる。そのため、親指を動かす場合、縫目９８周辺が十分に伸ばされず、親指を押さえつける状態となり、作業者は親指を楽に動かすことができず、窮屈感を感じるという問題がある。その結果、上記作業用手袋９を装着して長時間作業すると、手が傷つき、手に疲労感が蓄積され、作業に支障を来たすこととなる。
【０００５】
なお、上記縫目９８から生じる問題は、例えば、ゴルフクラブを強く握って長時間プレイするために使用されるゴルフ用の手袋については顕著に現れ、ゴルファーの手に生じる痛みや疲労感は著しいものである。
【０００６】
そこで、例えば、実開平５−１５９８１号公報（特許文献1）では、親指をゴルフ手袋本体に縫いつけた、親指の人差指側の縫目をなくしたゴルフ手袋が開示されている。上記構成により、ゴルフクラブのグリップが当たるところに、縫目がないので縫目が親指に当たって違和感や痛みを生じないとしている。
【０００７】
また、特開平８−８４７９９号公報（特許文献２）では、親指掌部生地と親指甲部生地とを、手袋掌部生地と一枚シートの掌生地で構成されたゴルフ手袋が開示されている。上記構成により、掌部の縫目を省略することが可能となるため、ゴルフクラブのグリップを、縫目のない掌部で強く握っても快適に使用できるとしている。
【０００８】
また、特開２００６−３３４０６１号公報（特許文献３）では、掌部片の人差指側下端付近を斜め下方向に延設して帯状片を形成し、甲部片と掌部片の縫合に際し、当該帯状片を甲部片の表面側に重ねるようにして斜め方向に縫着したゴルフ用手袋が開示されている。上記構成により、人差指と親指の間の部分に縫目が現われないため、この部分での捩じれ現象を防止することができるとしている。
【０００９】
また、特開２００７−１００２７５号公報（特許文献４）では、親指袋の下端が手首側端まで延設されることにより、親指袋の一部が手袋本体に対して無縫製とされたゴルフ袋が開示されている。上記構成により、生地の持つ本来の自然な伸びが阻害されずに済み、親指が違和感なく動くことができ、フィット性の高いものとなるとしている。
【特許文献１】実開平５−１５９８１号公報
【特許文献２】特開平８−８４７９９号公報
【特許文献３】特開２００６−３３４０６１号公報
【特許文献４】特開２００７−１００２７５号公報
【発明の開示】
【発明が解決しようとする課題】
【００１０】
しかし、特許文献１〜４に記載の技術では、ゴルフクラブのグリップと接触する掌面側の縫目に関する技術で、手の甲面における親指袋の縫目に関しては従来と同様であり、手の甲面側の縫目から生じる親指への窮屈感、疲労感を解消することができないという問題がある。
【００１１】
また、掌材９１、甲材９２、親指材９３をそれぞれ縫い合わせる場合、掌材９１に設けられた親指穴９６の甲側端縁に、半折された親指材９３の下端縁を縫合して親指袋を作成してから、その掌材９１の人差指側端縁と甲材９２の人差指側端縁とを縫合するという縫合手順にて作業用手袋を作成していた。上記縫合手順では、掌材９１の親指穴９６の甲側端縁に親指材９３の下端縁を縫合する作業と、掌材９１の人差指側端縁に甲材９２の人差指側端縁を縫合する作業とを別個に縫合する必要があり、縫合に手間が掛かり、生産効率が悪いという問題がある。
【００１２】
そこで、本発明は、上記問題を解決するためになされたものであり、生産効率を高めるとともに長時間作業しても疲労感が蓄積することがない作業用手袋を提供するものである。
【課題を解決するための手段】
【００１３】
上述した課題を解決し、目的を達成するために、本発明に係る作業用手袋は、掌材、親指材、甲材をそれぞれ縫合した作業用手袋において、親指穴の甲側部分を切り取られた掌材と、上記切り取り部分を甲側に張り出すとともに、その甲側端縁が上記親指穴に親指材を縫合した状態で、上記甲材の人差指側端縁の手首への延長線と一致する親指材とを備える。
【００１４】
また、親指と人差指との股の部分を覆う生地である舌を親指穴に形成する切り込みのうち、親指穴の甲側端縁に連続する切り込みの付け根から甲側上方までの上側端縁と、親指穴の下端付近から手首側までの下側端縁との間の部分を切り取られた掌材と、上記切り取られた部分の上側端縁に対応して、甲面における親指と人差指との付け根上端の形状をＶ字状またはＵ字状とする親指材とを備える。
【発明の効果】
【００１５】
本発明の作業用手袋によれば、掌材の親指穴の甲側部分を切り取り、その切り取り部分を親指材の甲側に張り出すとともに、その甲側端縁が親指穴に親指材を縫合した状態で、甲材の人差指側端縁の手首への延長線と一致するよう構成している。
【００１６】
これにより、甲面の親指材における、親指の付け根部分が無縫製となるので、当該付け根部分の縫目による手の違和感や痛みがほとんど生じることがなく、長時間作業用手袋を装着しても手が傷つくことはない。さらに、上記付け根部分の生地は生地本来の伸縮性を維持することとなるため、激しく親指を動かした際に伸縮性が一番要求される甲面は問題なく伸縮することとなり、手に窮屈感を感じることなく自由に動かすことが可能となる。その結果、上記作業用手袋を装着して長時間作業したとしても、手の痛みが最小限に抑えられるとともに疲労感が手に蓄積されることがないため、作業に支障を来たすことなく円滑に作業を進めることができる。
【００１７】
さらに、掌材の親指穴の甲側部分が親指材の甲側に張り出されているため、親指穴に親指材を縫合した状態で、その親指材の甲側端縁と甲材の人差指側端縁の手首への延長線とを縫合すれば、甲材に甲面の親指材が縫合されることとなる。そのため、従来より別個に行なわれていた、甲材の人差指側端縁に掌材の人差指側端縁を縫合する作業と、掌材の親指穴の甲側端縁に甲面の親指材の下端縁を縫合する作業とを、一つの縫合作業によって達成することが可能となる。その結果、生産効率が向上し、製造コストを低減することが可能となる。
【００１８】
また、親指穴の甲側端縁に連続する切り込みの付け根から甲側上方までの上側端縁と親指穴の下端付近から手首側までの下側端縁との間の部分を切り取り、当該切り取り部分に対応して、甲面における親指の付け根上端の形状をＶ字状とするよう構成している。
【００１９】
これにより、親指材のＶ字状の甲側端縁に連続した縫目が現れ、当該連続した縫目のある生地の剛性が高くなるとともに、当該連続した縫目が、親指と人差指との付け根にあるくぼみ部分を丁度保護する形態となる。その結果、ゴルフクラブなどの作業棒を強く握っても、比較的弱い部位であるくぼみ部分に大きな負担が掛かることなく、手に疲労感が蓄積されることはない。
【発明を実施するための最良の形態】
【００２０】
以下に本発明に係る作業用手袋の実施の形態を図面に基づき詳細に説明するが、本発明はこれに限定されるものではない。なお、以下に示す図面の作業用手袋は左手用であるが、これが右手用であっても実質的に差異はない。
【００２１】
＜第一の実施の形態＞
図１は、縫製前の第一の実施の形態の作業用手袋のパーツのうち、掌材、掌面親指材、甲面親指材、中指・薬指材の実施形態を示す展開図であり、図２は、第一の実施の形態の甲材、袖部、ベルト材、面ファスナーを示す展開図である。また、図３は、第一の実施の形態の平面図、図４は同じく底面図、図５は同じく右側面図、図６は第一の実施の形態においてベルトを開いた状態の平面図である。
【００２２】
第一の実施の形態の作業用手袋１の主な生地は、手袋の掌面の生地である掌材１１、手袋の親指袋の生地である掌面親指材１２、甲面親指材１３、掌面の中指・薬指材１４、手の甲面の生地である甲材１５から構成される。上記掌材１１には、人差指袋を構成する人差指材と小指袋を構成する小指材がそれぞれ連設されており、また、別個に裁断された中指・薬指材１４が縫合されて、各指の掌材となる。なお、上記生地は、皮革や合成皮革など種々の生地を使用しており、特に限定されるものではない。
【００２３】
図１に示すように、掌材１１は、上記従来の掌材１１の親指穴の切り込みｙに対応する切り込みａの付け根から甲側上方までの上側端縁Ａ５と、親指穴１１ａの下端付近（図示上は下端）から手首側までの下側端縁Ａ１５との間の部分を切り取った形状となっており、従って、親指穴１１ａは甲側に開放された形状となっている。この掌材１１の切り取り部分１１ｂは、甲面親指材１３の甲側に張り出した形状となっている。
【００２４】
また、掌材１１の親指穴１１ａでは、掌側の弧状端縁に連続した切り込みｂと甲側端縁に連続する端縁Ａ３、Ａ４とによって親指と人差指との股の部分を覆う舌１１ｃが形成され、掌面の親指の付け根に対応する弧状端縁Ａ１と当該舌１１ｃの側端縁Ａ２とが形成されている。
【００２５】
さらに、掌材１１の人差指材では、人差指材の一部に人差指の甲面指先材１１ｄが張り出された形状となっており、その甲面指先材１１ｄの下側から掌面人差指材の下側までの端縁Ａ６は、ヘの字状の形状を有している。そのため、上記への字状の端縁Ａ６には、丁度甲材１５の人差指材の周縁Ａ６`が合わさって縫合されることとなる。なお、人差指の甲面指先材１１ｄは、人差指の指先から第一関節までを覆う程度の面積である。
【００２６】
また、掌材１１の中指材に対応する部分には、上記人差指材の襠に対応する生地が設けられており、人差指材の襠の下側に切り込みｃが設けられ、この切り込みｃの先端から人差指の先端までの線ｄで人差指材の襠が折り曲げられ、掌面人差指材が形作られる。
【００２７】
また、上記人差指材と同様に、掌材１１の薬指材に対応する部分には、小指材の襠に対応する生地が設けられており、その小指材の襠の下側に切り込みｅが設けられ、この切り込みｅの先端から小指の先端までの線ｆで小指材の襠が折り曲げられ、掌面小指材が形作られる。
【００２８】
掌面親指材１２では、親指と人差指との付け根の上端からやや下方斜めの方向に切り込みｇが設けられており、その切り込みｇによって親指材１２ａと親指付根周辺部材１２ｂとに分けられ、当該切り込みｇに掌材１１の舌１１ｃが縫合されることとなる。
【００２９】
甲面親指材１３では、掌材１１の切り取り部分１１ｂを甲側に張り出すとともに、その甲側端縁Ｃ１が親指穴に親指材を縫合した状態で、甲材１５の人差指側端縁の手首への延長線と一致する程度に延長されている。
【００３０】
さらに、甲面親指材１３の親指付け根ｈ上端の形状は、掌材１１の親指穴１１ａの切り込みａの付け根から甲側上方までの上側端縁Ａ５に対応して、親指の付け根ｈ上端から人差指側までの端縁Ａ５`と当該付け根ｈ上端から親指の指先側までの端縁Ａ４`とによってＶ字状を形成している。
【００３１】
中指・薬指材１４は、中指の掌材と薬指の掌材とが一体となっており、その中指・薬指材１４の中心の一端から、中指の掌材と薬指の掌材とを分ける方向に切り込みｉが設けられている。その切り込みｉに沿って、上記中指・薬指材１４は折り曲げられ、掌面中指材と掌面薬指材とが形成される。
【００３２】
さて、図２に示す甲材１５では、人差指と中指との間、中指と薬指との間、薬指と小指との間にそれぞれ切り込みｊ、ｋ、ｌが設けれ、人差指側端縁Ａ８`、中指材端縁Ｄ１`、薬指材端縁Ｄ２`、小指材端縁Ａ１３`がそれぞれ形成され、甲面人差指材、甲面中指材、甲面薬指材、甲面小指材が形成されている。
【００３３】
次に作業用手袋の縫合手順について説明する。
【００３４】
まず、掌材１１の親指穴１１ａの弧状端縁Ａ１、舌１１ｃの側端縁Ａ２、舌１１ｃの下端縁Ａ３が、掌面親指材１２の弧状端縁Ａ１`、親指付根周辺部材１２ｂの上端縁Ａ２`、親指材１２ａの下端縁Ａ３`にそれぞれ縫合されて、掌材１１に掌面親指材１２が縫合される。さらに、甲面親指材１３の周端縁Ｂ１`に、掌面親指材１２の周端縁Ｂ１が縫合されて、掌面親指材１２が甲面親指材１３に縫合される。
【００３５】
続いて、甲面親指材１３のＶ字状を有する端縁Ａ４`、Ａ５`が、掌材１１の舌１１ｃの上側端縁Ａ４、Ａ５と縫合されると、Ｖ字状の連続した縫目が現れ、当該連続した縫目のある生地の剛性が高くなるとともに、当該連続した縫目が、親指と人差指との付け根にあるくぼみ部分を丁度保護する形態となる。さらに、親指袋の下側に対応する甲面親指材１３の下端縁Ａ１５`と掌材１１の親指穴１１ａの下側端縁Ａ１５とが縫合されて、作業用手袋１の親指袋が形作られ、掌材１１の親指穴１１ａに掌面親指材１２、甲面親指材１３が縫合された状態となる。
【００３６】
続いて、掌材１１の中指の付け根に対応する端縁Ａ１０と薬指の付け根に対応する端縁Ａ１１とが、中指・薬指材１４の中指材の下端縁Ａ１０`と薬指材の下端縁Ａ１１`とにそれぞれ縫合され、さらに、掌材１１の人差指の襠の下端縁Ａ９と小指材の襠の下端縁Ａ１２とが、中指・薬指材１４の中指の襠の下端縁Ａ９`と薬指の襠の下端縁Ａ１２`とにそれぞれ縫合されて、掌面中指材と掌面薬指材とが形成される。
【００３７】
次に、形成された掌面の各指材と甲面の各指材とが縫合される。
【００３８】
まず、人差指では、甲面親指材１２、掌面親指材１３が掌材１１の親指穴１１ａに縫合された状態にて、掌材１１の人差指材のへの字状端縁Ａ６と甲面親指材１３の甲側端縁Ｃ１とが一直線上に並べられてから、当該への字状端縁Ａ６と当該甲側端縁Ｃ１とが、甲材１５の人差指材の周縁Ａ６`と人差指側端縁の手首への延長線Ｃ１`とに、人差指の下方へ向かって連続して縫合されると、掌材１１の人差指側端縁が甲材１５の人差指側端縁に縫合されるとともに、甲面親指材１３の張り出された甲側端縁も甲材１５の親指側端縁に縫合されることとなる。そのため、従来より別個に行なわれていた、甲材の人差指側端縁に掌材の人差指側端縁を縫合する作業と、掌材の親指穴の甲側端縁に甲面の親指材の下端縁を縫合する作業とを、一つの縫合作業によって達成することが可能となる。なお、その縫合が終了すると、甲面の親指の付け根ｈ部分に縫目が現われず無縫製の状態となる。
【００３９】
次に、掌材１１の人差指の指先材の谷部分ｍから人差指の指先周縁Ａ７と他方の人差指の指先周縁Ａ７`とが連続して縫合され、さらに、当該周縁Ａ７`から連続している人差指の襠の側端縁Ａ８が、甲材１５の人差指側端縁Ａ８`に、人差指の周縁を描くように連続して縫合される。
【００４０】
さらに、甲材１５の人差指側端縁Ａ８`から連続している中指材端縁Ｄ１`が、掌材１１に縫合された中指・薬指材１４の中指材端縁Ｄ１に、中指の周縁を描くように連続して縫合される。
【００４１】
そして、甲材１５の中指材端縁Ｄ１`から連続している薬指材端縁Ｄ２`が、中指・薬指材１４の薬指側端縁Ｄ２に、薬指の周縁を描くように連続して縫合される。
【００４２】
同様に、甲材１５の薬指材端縁Ｄ２`から連続している小指側端縁Ａ１３`が、掌材１１の小指材端縁Ａ１３に、小指の周縁を描くように連続して縫合される。
【００４３】
上記一連の縫合作業が終了すると、人差指袋、中指袋、薬指袋、小指袋が順に形作られることとなる。
【００４４】
続いて、作業用手袋１の本体の下側で、甲材１５の下端縁Ｅ１、掌材１１の下端縁Ａ１４、甲面親指材１３の下端縁Ｃ２が、伸縮性に富む袖部１６の上端縁Ｅ１`、Ａ１４`、Ｃ２`に連続して一周するように縫合され、当該袖部１６が縫合された後に、作業用手袋１を裏返せば、作業用手袋１の本体が出来上がる。なお、上記袖部１６が、手に装着された作業用手袋１を脱げ難くする。
【００４５】
なお、上記袖部１６の一方の片側端縁Ｆ１は、他方の片側端縁Ｆ２と縫合されないため、全ての生地が縫合された後は、図６に示すように、一箇所切欠１７が設けられることとなり、手への着脱を容易にする。
【００４６】
さらに、上記切欠１７の一端縁Ｆ２にベルト１８の片側端縁Ｆ２`が縫合され、さらに、当該ベルト１８の裏面には多数の係着子からなる接着面ファスナー１９が縫い付けられる。そして、上記接着面ファスナー１９に対応する上記袖部１６の位置には、他方の係着子からなる被接着面ファスナー２０が縫合され、両者の面ファスナー１９、２０によってベルト１８の取り付け状態を調整することが可能となる。これにより、作業者毎に作業用手袋１のフィット感の調整が可能となる。
【００４７】
上述のように、本発明の作業用手袋１によれば、掌材１１の親指穴１１ａの甲側部分１１ｂを切り取り、その切り取り部分１１ｂを親指材１３の甲側に張り出すとともに、その甲側端縁Ｃ１が親指穴１１ａに親指材１３を縫合した状態で、甲材１５の人差指側端縁の手首への延長線Ｃ１`と一致するよう構成している。
【００４８】
これにより、甲面の親指材１３における、親指の付け根ｈ部分が無縫製となるので、当該付け根ｈ部分の縫目による手の違和感や痛みがほとんど生じることがなく、長時間作業用手袋を装着しても手が傷つくことはない。さらに、上記付け根ｈ部分の生地は伸縮可能であるため、激しく親指を動かしても窮屈感を感じることなく自由に動かすことが可能となる。
【００４９】
さらに、掌材１１の親指穴１１ａの甲側部分が甲面親指材１３の甲側に張り出されているため、親指穴１１ａに甲面親指材１３を縫合した状態で、その甲面親指材１３の甲側端縁Ｃ１と甲材１５の人差指側端縁の手首への延長線Ｃ１`とを縫合すれば、甲材１５に甲面の親指材１３が縫合されることとなる。そのため、従来より別個に行なわれていた、甲材１５の人差指側端縁に掌材１１の人差指側端縁を縫合する作業と、掌材１１の親指穴１１ａの甲側端縁に甲面の親指材１３の下端縁を縫合する作業とを、一つの縫合作業によって達成することが可能となる。
【００５０】
＜第二の実施の形態＞
図７は本発明の第二の実施形態の甲材、甲面袖口材、こぶし保護材、指先材を示す展開図であり、図８は、第二の実施の形態の平面図である。
【００５１】
第一の実施の形態と比較して、第二の実施の形態の異なる点は、甲材１５の下方に別個に裁断された上方を尖らせた形状を有する甲面袖口材２１を設けた点、甲材１５とは別個に、手のこぶしを保護するためのこぶし保護材２２を設けた点、さらに、甲材１５の中指材から小指材までの各指材の指先に別個に裁断された指先材２３、２４、２５を設けた点である。
【００５２】
上記構成により、それぞれの部材は、以下の効果を有する。
【００５３】
上記甲面袖口材２１は、甲材１５と別個に設けられているため、甲材１５の人差指側端縁の手首への延長線Ｃ１`と甲面袖口材２１の一方の端縁が一致する限り、甲材１５と異なる生地にて設計変更することが可能となる。例えば、手首を激しく動かすと、その負荷は甲面袖口材２１に掛かりやすいため、その甲面袖口材２１の生地を伸縮性に富む生地や強度の高い生地等に容易に設計変更できる。その結果、さらに手に負担の掛かり難い作業用手袋を作成することが可能となる。なお、甲面袖口材２１の形状も多少変えることが可能であるため、最終製品の作業用手袋のデザインも容易に変更することも可能となる。
【００５４】
上記こぶし保護材２２も、甲材１５と別個に設けられているため、こぶしを保護するために強度の高い生地やスポンジ等を含む緩衝性に優れた生地等に容易に設計変更することができるとともに、こぶし保護材２２の形状を変更することにより、最終製品の作業用手袋のデザインも容易に変更することも可能となる。
【００５５】
上記指先材２３、２４、２５も、上記と同様に、甲材１５と別個に設けられているため、甲材１５と異なる生地にて設計変更することが可能となる。例えば、手を激しく動かしたり、物を繰り返し握ったり離したりすると、その作業用手袋の甲面の指先材は容易に擦れたり、外部から力が印加されたりする場合が多い。そのため、その作業用手袋の指先材を強度の高い生地やスポンジ等を含む緩衝性に優れた生地等に容易に設計変更することが可能となる。その結果、さらに手に負担の掛かり難い作業用手袋を作成することが可能となる。なお、各指先材２３、２４、２５の大きさや形状を容易に変更することが可能となるため、最終製品の作業用手袋のデザインも容易に変更することも可能となる。
【００５６】
なお、上述した第一の実施の形態または第二の実施の形態の作業用手袋１では、甲面親指材１３の甲側端縁Ｃ１と甲材１５の人差指側端縁の手首への延長線Ｃ１`とを一回のみ縫合しているが、当該甲側端縁Ｃ１と延長線Ｃ１`とを二度に渡って縫合して、甲面親指材１３と甲材１５とを強固に縫い付けるよう構成しても構わない。上記構成により、親指を激しく動かして甲面親指材１３と甲材１５との縫目に大きな負荷が掛かったとしても、当該縫目が容易に解けることなく、長期間使用することが可能となる。
【００５７】
なお、掌材１１のへの字状端縁Ａ６、甲面親指材１３の甲側端縁Ｃ１と、甲材１５の人差指材の周縁Ａ６`、延長線Ｃ１`とを二度に渡って縫合すると、負担の掛かる縫目周辺がより強固に縫い付けられ、耐久性が向上する。また、掌材１１の舌１１ｃの上側端縁Ａ４、Ａ５と、甲面親指材１３のＶ字状の甲側端縁Ａ４`、Ａ５`とを二度に渡って縫合する場合も同様である。もちろん、本発明の目的を損なわない範囲で、他の端縁についても二度に渡って縫合しても構わない。
【００５８】
また、本発明の作業用手袋１では、甲面親指材１３の甲側端縁Ｃ１と甲材１５の人差指側端縁の手首への延長線Ｃ１`とを縫合している生地部分は、他の生地部分と同じ厚みの生地にて構成しているが、当該縫合される生地部分を厚手に構成しても構わない。上記構成により、親指を激しく動かした際に縫目とともに当該縫目周辺を覆う生地部分に負荷が掛かっても、当該生地部分が容易に破れることなく、長期間使用することが可能となる。
【００５９】
なお、掌材１１のへの字状端縁Ａ６、甲面親指材１３の甲側端縁Ｃ１の生地部分と、甲材１５の人差指材の周縁Ａ６`、延長線Ｃ１`の生地部分とを厚手に構成すると、縫目周辺の生地がより破れ難くなり、耐久性が向上する。また、掌材１１の舌１１ｃの上側端縁Ａ４、Ａ５の生地部分と、甲面親指材１３のＶ字状の甲側端縁Ａ４`、Ａ５`の生地部分とを厚手に構成する場合も同様である。もちろん、本発明の目的を損なわない範囲で、他の端縁の生地部分または生地全体を厚手に構成しても構わない。
【００６０】
また、本発明の甲面親指材１３の親指と人差指との付け根上端の形状をＶ字状とするように、掌材１１の切り取り部分１１ｂを掌材１１の舌１１ｃの切り込みａの付け根から甲側上方へ切り取っているが、親指と人差指との付け根にあるくぼみ部分を保護する形状であればよく、例えば、当該形状をＵ字状とするように、掌材１１の切り取り部分１１ｂを切り取っても構わない。
【００６１】
また、本発明の掌材１１の親指穴１１ａの下側端縁Ａ１５は、親指穴１１ａの下端から手首側まで切り取られて形成されているが、本発明の目的を損なわない範囲で、親指穴１１ａの下端付近、甲側の下方端縁付近、掌側の下方端縁付近のうち、いずれかの端縁付近から切り取られて形成されても構わない。
【００６２】
また、本発明の作業用手袋１では、掌面親指材１２と甲面親指材１３とを別個に裁断しているが、掌面親指材１２の周端縁Ｂ１の一部と甲面親指材１３の周端縁Ｂ１`の一部とが予め一体として構成された親指材を作業用手袋１に採用しても構わない。上記構成により、掌面親指材１２と甲面親指材１３とを縫合する箇所が少なくなり、より生産効率が向上する。
【００６３】
また、本発明の作業用手袋１では、甲面親指材１２と掌面親指材１３とを掌材１１に縫合した後に、中指・薬指材１４を縫合した甲材１５を当該掌材１１に縫合したが、本発明の目的を損なわない範囲で、当該縫合手順を変更しても構わない。また、本発明の作業用手袋１では、掌材の人差指材と甲材の人差指材とを縫合してから、各指材を縫合し、最後に掌材の小指材と甲材の小指材とを縫合したが、本発明の目的を損なわない範囲で、当該縫合手順を変更しても構わない。
【００６４】
また、本発明の作業用手袋１では、掌材１１の中指材と薬指材とに対応する生地を、人差指材の襠と小指材の襠との生地にし、掌材１１とは別個に中指・薬指材１４を設けるよう構成したが、本発明の目的を損なわない範囲で、掌材１１に中指材と薬指材とを連設させるよう構成し、さらに、人差指材から小指材までの襠の生地を別個に設けても構わない。
【００６５】
また、本発明の作業用手袋１の生地に、本発明の目的を損なわない範囲で、通気性のよい、目の粗い生地を採用しても構わない。上記構成により、手に生じる汗が容易に発散されるため、手袋内部で生じる蒸れを防止することが可能となる。通気性を有する生地を採用する場合、親指を動かした場合に負担の掛かりやすい甲面親指材１３以外の生地や作業によって擦れる頻度の低い箇所の生地に採用することが好ましい。
【００６６】
また、第二の実施の形態の作業用手袋１では、甲面袖口材２１、こぶし保護材２２、指先材２３、２４、２５を全て備えるよう構成しているが、本発明の目的を損なわない範囲で、いずれか一つを含むものであっても構わない。
【産業上の利用可能性】
【００６７】
以上のように、本発明にかかる作業用手袋は、スポーツ用手袋はもちろん、家庭用に用いられる作業用手袋から、漁業、土木作業、建築作業等種々の作業において使用される作業用手袋に有用であり、生産効率を高めるとともに長時間作業しても疲労感が蓄積することがない作業用手袋として有効である。
【図面の簡単な説明】
【００６８】
【図１】第一の実施の形態の作業用手袋を示す第一の展開図である。
【図２】第一の実施の形態の作業用手袋を示す第二の展開図である。
【図３】第一の実施の形態の作業用手袋を示す平面図である。
【図４】第一の実施の形態の作業用手袋を示す底面図である。
【図５】第一の実施の形態の作業用手袋を示す右側面図である。
【図６】第一の実施の形態の作業用手袋のベルトを開いた状態を示す平面図である。
【図７】第二の実施の形態の作業用手袋を示す展開図である。
【図８】第二の実施の形態の作業用手袋を示す平面図である。
【図９】従来品の作業用手袋を示す展開図である。
【図１０】従来品の作業用手袋を示す右側面図である。
【符号の説明】
【００６９】
１  作業用手袋
１１  掌材
１１ａ  親指穴
１１ｂ  掌材の切り取り部分
１１ｃ  親指穴の舌
１１ｄ  人差指の指先材
１２  掌面親指材
１２ａ  親指材
１２ｂ  親指付根周辺部材
１３  甲面親指材
１４  中指・薬指材
１５  甲材
１６  袖部
１７  切欠
１８  ベルト
１９  接着面ファスナー
２０  被接着面ファスナー
２１  甲面袖口材
２２  こぶし保護材
２３、２４、２５  指先材
２１  袖部
２２  切欠
２３  ベルト
２４  接着面ファスナー
２５  被接着面ファスナー
９６  親指穴
９７  親指穴の舌
９８  親指の付け根の周縁に生じる縫目
ａ、ｂ、ｃ、ｅ、ｈ、ｇ、ｉ、ｊ、ｋ、ｌ、ｘ、ｙ  切り込み
ｈ  親指の付け根
ｄ、ｆ  折り曲げ線
ｍ  掌材の人差指の指先材の谷部分
【図１】
2009127170.tif 000003
【図２】
2009127170.tif 000004
【図３】
2009127170.tif 000005
【図４】
2009127170.tif 000006
【図５】
2009127170.tif 000007
【図６】
2009127170.tif 000008
【図７】
2009127170.tif 000009
【図８】
2009127170.tif 000010
【図９】
2009127170.tif 000011
【図１０】
2009127170.tif 000012